(57)【特許請求の範囲】
【請求項１】
前後方向に複数載置された商品のうち最前部の商品から一個ずつ搬出する商品搬出装置を、該自動販売機本体の左右方向に複数並設した自動販売機において、
前記各商品搬出装置を左右方向に移動可能に支持する支持部材を有するとともに、該各商品搬出装置の前後に前記支持部材をそれぞれ配置し、
前記各支持部材のうち前側支持部材は、前記各商品搬出装置の前側下面を載置する支持板と、該各商品搬出装置の前面に対向し横方向に延びる長穴を設けた前板とを有し、該長穴にネジ等の締結部材を通して該各商品搬出装置を該前板に固定した
ことを特徴とする自動販売機。
【請求項２】
前記各支持部材のうちの後側支持部材には滑りリングを嵌め込み、該滑りリングを介して該各商品搬出装置を支持した
ことを特徴とする請求項１記載の自動販売機。
【請求項３】
前記前板の前方には、この前板の少なくとも前面を覆い価格等表示カードの挿入可能なカードレールを取り付けた
ことを特徴とする請求項１又は請求項２記載の自動販売機。
【請求項４】
前記カードレールは前面を開口したカード挿入用の平溝を有するとともに、該平溝の前面開口と対向する面には前方に向かって突出しかつ横方向に延びる突出部を形成した
ことを特徴とする請求項３記載の自動販売機。
【請求項５】
前記突出部を上下に間隔をおいて複数形成するとともに、該各突出部のうち上側突出部は下側突出部よりその突出寸法を大きくした
ことを特徴とする請求項４記載の自動販売機。
【発明の詳細な説明】
【０００１】
【発明の属する技術分野】
本発明は、ガム等の箱形商品を前後に複数並べて最前部の商品から一個ずつ搬出する自動販売機に関するものである。
【０００２】
【従来の技術】
従来、この種の自動販売機として、特許第２７７７５５７号公報に記載されたものが知られている。
【０００３】
この自動販売機は、斜め下向きに配置した商品棚を上下複数段に設置する一方、各商品棚には商品の大きさ（商品の幅寸法）に合わせて左右方向に複数の仕切板を配置している。この仕切板間にはそれぞれ前後に商品を複数載置し、各種商品に対応する商品列を複数形成している。また、各仕切板間には、これに対応するようレバー制御装置が設置されており、最前部の商品を保持するゲートレバーと最前部から２番目の商品を保持するロックレバーを交互に商品棚の上面に出没させ、最前部の商品から１個ずつ商品を搬出する構造となっている。
【０００４】
【発明が解決しようとする課題】
ところで、商品を商品棚に配列するときは、予め各仕切板を商品幅に合わせて配置しておく必要があるが、各レバー制御装置は商品棚の決まった位置に設置されているため、各仕切板を配置する際はこのレバー制御装置を基準にして左右に対称の位置に配置しなければならない。
【０００５】
しかしながら、各仕切板は隣接する商品において共用のものとなっているため、商品幅の大きい商品を搬出するために各仕切板の間隔を広げるとき、これに隣接する商品列は商品幅の小さな商品しか配置することができず、商品配列の自由度が小さなものとなっていた。また、商品幅の大きな商品を複数隣接して配置するときは、基準となるレバー制御装置の取付位置を付け替える必要があり、面倒な作業が必要となっていた。
【０００６】
本発明の目的は前記従来の課題に鑑み、商品配列の自由度が大きく、また、商品配列を簡単に変更できる自動販売機を提供することにある。
【０００７】
【課題を解決するための手段】
本発明は前記課題を解決するため、請求項１の発明は、前後方向に複数載置された商品のうち最前部の商品から一個ずつ搬出する商品搬出装置を、自動販売機本体の左右方向に複数並設した自動販売機において、各商品搬出装置を左右方向に移動可能に支持する支持部材を有するとともに、各商品搬出装置の前後に支持部材をそれぞれ配置し、各支持部材のうち前側支持部材は、各商品搬出装置の前側下面を載置する支持板と、各商品搬出装置の前面に対向し横方向に延びる長穴を設けた前板とを有し、長穴にネジ等の締結部材を通して各商品搬出装置を前板に固定した構造となっている。
【０００８】
この発明によれば、商品が配列された商品搬出装置が支持部材上を左右に移動するため、隣接する各商品搬出装置間の幅を任意に変更できる。また、商品搬出装置を左右方向に移動して所定位置に位置決めした後、締結部材を前板の長穴を通して商品搬出装置に締結する。これにより、商品搬出装置が固定される。
【０００９】
請求項２の発明は、請求項１に係る自動販売機において、各支持部材のうちの後側支持部材には滑りリングを嵌め込み、滑りリングを介して各商品搬出装置を支持した構造となっている。
【００１０】
この発明によれば、商品搬出装置の後部が滑りリングを介して後側支持部材に支持されているため、商品搬出装置が左右に容易に移動できる。
【００１３】
請求項３の発明は、請求項１又は請求項２に係る自動販売機において、前板の前方には、この前板の前面を覆う価格等表示用のカードレールを取り付けた構造となっている。この発明によれば、カードレールが長穴や前板に固定された締結部材を隠蔽する。
【００１４】
請求項４の発明は、請求項３に係る自動販売機において、カードレールは前面を開口したカード挿入用の平溝を有するとともに、平溝の前面開口と対向する底面には前方に向かって突出しかつ横方向に延びる突出部を形成した構造となっている。
【００１５】
この発明によれば、表示カードをカードレールに挿入した際、表示カードが突出部が抵抗となり、表示カードが不用意に動くことを防止する。
【００１６】
また、この平溝に挿入された表示カードからこれに挿入された価格表示カードを取り出すときは、平溝の前面開口から指を挿入し表示カードの前面を押す。ここで、表示カードは突出部の前方に位置し、突出部の上下に隙間が形成されているので、表示カードで隙間と対向する部分を押し動作するとき、表示カードが突出部を支点として手前側に向かって湾曲する。しかる後、この表示カードを摘むようにして取り出すことにより、価格表示カードを表示カードから取り外すことができる。
【００１７】
請求項５の発明は、請求項４に係る自動販売機において、突出部を上下に間隔をおいて複数形成するとともに、突出部のうち上側突出部は下側突出部よりその突出寸法を大きくした構造となっている。
【００１８】
この発明によれば、表示カードの裏面の上下が各突出部に接触し、表示カードがカードレールに安定的に保持される。また、上側突出部が下側突出部より突出寸法が大きく、これに伴い、上側突出部側の隙間寸法も大きくなるので、この隙間を利用して請求項５の発明で説明したカード取り外し作業を行えばよい。
【００１９】
【発明の実施の形態】
図１乃至図８は本発明に係る自動販売機の一実施形態を示すもので、図１は自動販売機の概略構成図、図２は各商品搬出装置の設置状態を示す平面図、図３は商品搬出装置の平面図、図４は商品搬出装置の設置状態を示す側面断面図、図５は商品搬出装置の前側支持状態を示す断面斜視図、図６は商品搬出装置の後側支持状態を示す断面斜視図、図７はカードレールの取付状態を示す拡大断面図、図８は表示カードの組み付け方法を示す斜視図である。
【００２０】
まず、この自動販売機の構造を図１を参照して説明する。この自動販売機１はその自動販売機本体２内の上部に吊り下げ式の商品搬出装置３を配置する一方、中央から下部には傾斜滑走式の商品搬出装置４を複数段に配置し、各商品搬出装置３，４の最前部の商品を順次商品取出口５に搬出するようになっている。
【００２１】
次に、この傾斜滑走式の商品搬出装置４の構造を図３及び図４を参照して説明する。商品搬出装置４は商品Ａを載置する商品棚４１と、商品棚４１の最前部から２番目の商品Ａ２を押圧する商品押圧部材４２と、この商品棚４１の商品Ａの搬出制御を行うレバー制御装置４３と、商品棚４１上の商品Ａの幅規制を行う商品幅規制装置４４とを有する。
【００２２】
この商品棚４１は自動販売機本体２の前後方向に延在されたもので、自動販売機本体２内に上下複数段に配置されている。また、この商品棚４１は前下傾斜に配置され、載置商品Ａを前方に向かって滑走搬出できるようにしている。また、商品棚４１の上面前寄りには前後方向に延びるレバー出没穴４１１を設け、後述するゲートレバー４３１及びロックレバー（図示しない）が出没するようになっている。また、この商品棚４１の上には押し部材４１２が前後に移動自在に設置されており、この押し部材４１２により最後部の商品Ａ３を前方に押し、全ての商品Ａに対して前方への移動力を付与している。なお、商品棚４１の上面の両側寄りには前後方向に延在された滑走ワイヤ４１３が設置されている。この滑走ワイヤ４１３は複数の金属線をよって形成されており、滑走ワイヤ４１３上に商品Ａを載せ、商品Ａを円滑に滑走できるようにしている。
【００２３】
商品押圧部材４２は、商品棚４１の上面に載置された商品Ａのうち最前部から２番目の商品Ａ２を上から押さえるもので、図４の破線に示すように、後端が商品棚４１の支持枠４２１に回動自在に支持され、その先端を商品Ａ２の上に載せ、その自重により商品Ａ２を押さえている。なお、４２２はこの商品押圧部材４２の上方への飛び上がりを規制する規制棒で、図３の実線で示すように商品棚４１に直交させるときは、商品押圧部材４２の上方への回転を規制し、一方、商品押圧部材４２を破線で示すように商品棚４１に平行に回動させるときはこの規制を解除する。
【００２４】
レバー制御装置４３は、図４の破線で示すように、商品棚４１の裏側に設置されたもので、商品棚４１の前後方向中央から前端側に亘って配置されている。なお、このレバー制御装置４３については本発明の特徴部分ではないので、詳細は省略するが、最前部の商品Ａ１を押さえる回動自在のゲートレバー４３１と、最前部から２番目の商品Ａ２を押さえるロックレバー（図示しない）とを前後に配置し、ゲートレバー４３１とロックレバーを商品棚４１の上面に交互に出没させ、最前部の商品Ａ１から順次商品Ａを搬出する構造となっている。
【００２５】
以上のように構成された傾斜滑走式の商品搬出装置４は、各段毎に棚受け６に設置されている。この棚受け６の構造及び棚受け６への商品搬出装置４の設置構造を図２及び図４を参照して説明する。
【００２６】
この棚受け６は、図２に示すように、上下面を開口した扁平箱状に形成されており、その両側壁の外面にはローラ６１を設置している。一方、自動販売機本体２の両側壁の内面にはガイドレール２１が設置されており、棚受け６のローラ６１をガイドレール２１上に転動させて、棚受け６を図２の白抜き双方向矢印に示すように前後方向に移動できるようになっている。
【００２７】
また、図４及び図６に示すように、棚受け６の後部下側には前方に向かって突出しかつ左右方向に延びる後側フランジ６２を設け、この後側フランジ６２に所定間隔をおいて複数の軸受け６３を立て、この軸受け６３に横方向に延在された棒状の軸６４（後部支持部材）を架設している。また、この軸６４には、図６の双方向矢印に示すように、移動自在の滑りリング６５が複数貫通しており、この滑りリング６５のＵ溝６５１に商品棚４１の後部下端のＵ字切り欠き４１３が嵌り込み、商品棚４１の後部を左右方向に移動自在としている。一方、棚受け６の前部下側も、図４及び図５に示すように、後方に向かって突出しかつ左右方向に延びる前側フランジ６６（前部支持部材）を有しており、この前側フランジ６６の上面に商品棚４１を支持し、商品搬出装置４の前部を左右方向に移動自在としている。
【００２８】
また、この棚受け６の前面に垂直に延びる前板６７には、図５に示すように、横方向に延びる長穴６７１が複数形成されており、この長穴６７１に前方から化粧ネジ６７２を通し、この前板６７に商品棚４１を固定するようになっている。また、前板６７の上端は後方に向かって屈曲しており、この屈曲部６７３に後述するカードレール７を引っ掛けるようになっている。
【００２９】
このカードレール７の構造を図７及び図８を参照して説明する。この樹脂製のカードレール７は、前板６７の前面を覆うよう取り付けられるもので、図７に向かって左下がりに延びるカード保持片７１と、カード保持片７１の下端から右下がりに延び更に後方に向かって水平に延びる支持片７２と、カード保持片７１の上端から後方に水平に延びる引っ掛け片７３とからなる。
【００３０】
このカード保持片７１は前面を開口した平溝７１１を有し、その平溝７１１の上下端をＵ字状に屈曲する一方、平溝７１１の底面には横方向に延びる２条の突出部７１２，７１３を上下に形成している。また、この上側突出部７１２の突出寸法は下側突出部７１３の突出寸法より大きくなっている。更に、引っ掛け片７３の後端は下方に向かって屈曲しており、この屈曲部７３１を前板６７の屈曲部６７３に引っ掛ける一方、支持片７２の後端寄りを化粧ネジ７１４で前側フランジ６６に固定し、カードレール７を商品棚４１の前方に配置している。
【００３１】
このように構成されたカードレール７には図７及び図８に示す表示カード８が挿入されている。この表示カード８はスチール製のカード基板８１と、樹脂製の商品番号カード８２と、樹脂製の価格表示カード８３とからなるもので、このカード基板８１の一方の側には対向する一対の爪８１１を切り起こし、この各爪８１１間に価格表示カード８３を嵌め込んでいる。この表示カード８をカードレール７の平溝７１１に挿入する際は、カード基板８１の各爪８１１間に価格表示カード８３を嵌め込む一方、カード基板８１の前面で他方の側に商品番号カード８２を配置する。しかる後、表示カード８の前面を手前側にして平溝７１１に挿入すれば良い。
【００３２】
以上のように構成された商品搬出装置４において、その設置位置を変更するときは、まず、前側フランジ６６及びカードレール７から化粧ネジ７１４を外し、更にカードレール７の屈曲部７３１を前板６７の上端から外し、図７に示すように、カードレール７を棚受け６から外す。しかる後、図５に示す化粧ネジ６７２を長穴６７１を通じて商品棚４１及び前板６７から外す。これにより、商品搬出装置４の固定状態が解かれ、商品搬出装置４が左右方向に移動自在となる。そして、棚受け６上の各商品搬出装置４を商品幅の大きさに合わせて所定位置に移動し、各商品搬出装置４の設置位置を定める。
【００３３】
この各商品搬出装置４の設置が定まったときは、前述の作業とは逆に作業する。即ち、化粧ネジ６７２を長穴６７１を通じての商品棚４１に螺着し、各商品搬出装置４を固定する。そして、カードレール７を化粧ネジ７１４で再度棚受け６に固定すればよい。
【００３４】
このように、本実施形態によれば、各商品搬出装置４の設置位置を変更する際、その前側が棚受け６の前側フランジ６６に、後側が軸６４にそれぞれ支持され、左右方向に移動自在となっているため、隣接する各商品搬出装置４間の幅を任意に変更できるし、また、各商品搬出装置４は滑りリング６５を介して軸６４に支持されているため、この左右方向の移動作業を容易に行うことができる。
【００３５】
また、本実施形態に係る表示カード８をカードレール７に装着すると、表示カード８は平溝７１１に挿入した状態となり、各突出部７１２，７１３が摩擦抵抗を大きくしているため、表示カード８が不用意に動くことがない。
【００３６】
更に、表示カード８の装着に際して、各突出部７１２，７１３のうち上側突出部７１２の突出寸法が大きくなっているので、表示カード８の下方を指で押すことで価格表示カード８３をカードレール７の平溝７１１の下端まで容易に差し込むことができる。
【００３７】
一方、この平溝７１１に挿入された商品番号カード８２や価格表示カード８３をカードレール７から取り出すときは、平溝７１１の前面開口から指を挿入し表示カード８の前面を押す。ここで、表示カード８は各突出部７１２，７１３の前方に位置し、各突出部７１２，７１３の上下に隙間が形成されているので、表示カード８で隙間と対向する部分を押し動作するとき、表示カード８が突出部を支点として手前側に向かって湾曲する。しかる後、図７に示すように、表示カード８のうち商品番号カード８２や価格表示カード８３を摘むようにして取り出す。これにより、各カード８２，８３をカードレール７から取り外すことができる。
【００３８】
なお、この実施形態では上側突出部７１２の突出寸法は下側突出部７１３の突出寸法より大きく、これに伴い、上側突出部７１２の上方の隙間が大きくなっているため、この隙間部分を押すときは表示カード８が大きく湾曲し、各カード８２，８３を簡単に外すことができる。また、各突出部７１２，７１３については上側突出部７１２のみであっても同様な作用を有する。
【００３９】
【発明の効果】
以上説明したように、本発明によれば、商品が配列された商品搬出装置が支持部材上を左右に移動するため、隣接する各商品搬出装置間の幅を任意に変更でき、商品幅の異なる各種商品を所望の位置に配置することができる。
【図面の簡単な説明】
【図１】自動販売機の概略構成図
【図２】各商品搬出装置の設置状態を示す平面図
【図３】商品搬出装置の平面図
【図４】商品搬出装置の設置状態を示す側面断面図
【図５】商品搬出装置の前側支持状態を示す断面斜視図
【図６】商品搬出装置の後側支持状態を示す断面斜視図
【図７】カードレールの取付状態を示す拡大断面図
【図８】表示カードの組み付け方法を示す斜視図
【符号の説明】
１…自動販売機、２…自動販売機本体、４…商品搬出装置、６…棚受け、７…カードレール、８…表示カード、４１…商品棚、６２…後側フランジ、６４…軸、６６…前側フランジ、６７１…長穴、Ａ…商品。
【図１】
0004242526.tif 000002
【図２】
0004242526.tif 000003
【図３】
0004242526.tif 000004
【図４】
0004242526.tif 000005
【図５】
0004242526.tif 000006
【図６】
0004242526.tif 000007
【図７】
0004242526.tif 000008
【図８】
0004242526.tif 000009